(57)【要約】      （修正有）【課題】看護師等が習熟しているナースコール親機に、火災等の緊急事態発生の場所をきめ細かく特定できる情報も表示することにより、医療に関する緊急事態のみならず、火災等の緊急事態発生時にも特別な訓練を要することなく即応的に対処できるナースコールシステムを提供する。【解決手段】ナースコール親機１１は、ナースコール子機の各々に対応した操作表示セル１５を多数有し、操作表示セル１５はそれぞれ個別の火災表示灯１７を備える。そして、ナースコール親機１１は、火災発生時に火災報知システムから出力される火災発報信号を受信し、当該火災発報信号に含まれる火災発報感知器の固有識別情報に基づいて当該火災発報感知器に最も近い位置のナースコール子機に対応した操作表示セル１５を特定し、且つ、特定された操作表示セル１５に備えられた火災表示灯１７の表示態様を所定の警告表示状態に制御する。【選択図】  図２
2004214810.tif 000002
【特許請求の範囲】
【請求項１】
複数のナースコール子機からの呼び出しを個別に表示すると共に呼び出し元のナースコール子機との間で会話を交わすことができるナースコール親機を備え、
前記ナースコール親機は、前記ナースコール子機の各々に対応した操作表示セルを多数有するナースコールシステムにおいて、
前記操作表示セルはそれぞれ個別の火災表示灯を備え、
前記ナースコール親機は、火災発生時に火災報知システムから出力される火災発報信号を受信する受信手段と、
当該火災発報信号に含まれる火災発報感知器の固有識別情報に基づいて当該火災発報感知器に最も近い位置のナースコール子機に対応した前記操作表示セルを特定する特定手段と、
前記特定手段によって特定された操作表示セルに備えられた火災表示灯の表示態様を所定の警告表示状態に制御する点灯制御手段と
を備えたことを特徴とするナースコールシステム。
【請求項２】
前記ナースコール親機は、医療用コードレスホンシステムに接続されており、前記受信手段によって、火災報知システムから出力された火災発報信号を受信したときに、前記医療用コードレスホンシステムに対して、火災発生を示す通知情報を出力することを特徴とする請求項１記載のナースコールシステム。
【請求項３】
前記ナースコール親機は、前記医療用コードレスホンシステムから、前記火災発生を示す通知情報に対応した応答情報を受け取ると、前記火災表示灯の表示態様を通常状態に復帰させることを特徴とする請求項２記載のナースコールシステム。
【請求項４】
火災発生時に火災報知システムから出力される火災発報信号を受信し、
当該火災発報信号に含まれる火災発報感知器の固有識別情報に基づいてナースコール親機の個別の火災表示灯を点灯制御すると共に、
当該ナースコール親機の無線発信機を駆動して、看護師又はその他の医療従事者が携帯する医療用コードレスホン又は携帯電話機もしくは無線通信端末に前記火災発報感知器の場所を示す情報を表示させるようにしたことを特徴とするナースコールシステム。
【発明の詳細な説明】
【０００１】
【発明の属する技術分野】
本発明は、ナースコールシステムに関し、特に、火災等の緊急事態にも対応したナースコールシステムに関する。
【０００２】
【従来の技術】
ナースコールシステムとは、病院、診療所、助産所または介護老人保健施設など（以下「病院等」）において、保健師、助産師、看護師または准看護師など（以下「看護師等」）と患者との間のスムーズなコミニュケーションや、円滑な介護活動を図るために用いられる設備のことである。
【０００３】
図２１は、ナースコールシステムの概念構成図である。ナースコールシステム１は、基本的に、ナースセンター（看護師等詰め所）２の壁面等に設置されたナースコール親機３と、病室４の患者の枕元などに設置された複数のナースコール子機５とで構成される。さらに、オプションとして、トイレ７の個室や浴室８に設置された押しボタン９を含むこともある。
【０００４】
図２２（ａ）は、ナースコール親機３の外観図である。図示のナースコール親機３は壁掛け形（ボード形ともいう）であるが、これ以外にも卓上形やパソコン利用のグラフィック表示形などがある。以下、壁掛け形で説明すると、このナースコール親機３は、フロントパネル３ａの前面に会話用のハンドセット３ｂと、操作表示ユニット３ｃとを備える。
【０００５】
図２２（ｂ）は、操作表示ユニット３ｃを構成する一つの操作表示セル３ｄを示す図である。この図において、操作表示セル３ｄは、中央にネームプレート３ｅを、また、その両脇に呼び出し表示灯３ｆと操作ボタン３ｇを配置して構成されている。
【０００６】
それぞれの操作表示セル３ｄは、病院等の各所に設けられたナースコール子機５や押しボタン９の各々に対応付けられている。たとえば、図２２（ｂ）に示す操作表示セル３ｄが、ある病室の所定のベット（便宜的にそのベッドに寝ている患者名を“日本花子”さんとする。）の枕元に備え付けられているナースコール子機５に対応付けられていると仮定すると、ネームプレート３ｅには患者名“日本花子”が書き込まれており、さらに、その患者（“日本花子”さん）によってナースコール子機５が操作されたときに、呼び出し表示灯３ｆが点灯または点滅（以下「点灯」で代表する。）し、当該患者からの呼び出しをナースセンター２の看護師等に通知できるようになっている。
【０００７】
そして、通知を受けた看護師等は、操作ボタン３ｇを押して呼び出し表示灯３ｆを消し、ハンドセット３ｂを取り上げて当該患者（“日本花子”さん）のナースコール子機５との間で会話を交わし、必要であれば、当該患者の元に向かうなどの対応行動をとることができるようになっている。
【０００８】
【発明が解決しようとする課題】
このように、従来のナースコールシステムにあっては、患者からの呼び出しをナースセンター２で受け、会話を交わし、所要の対応行動をとることができる点で有益であり、患者と看護師等間のスムーズなコミニュケーションや円滑な看護活動を図るための設備として見た場合は、特段不都合のないものであるが、別の視点で見た場合、改善すべき余地がある。
【０００９】
病院等における緊急事態は、入院患者の容態急変などの医療に関する事項だけに限らない。たとえば、火災または火災に至らないまでの小火騒ぎなどの緊急事態もまれに発生する。このような災害に備えて、病院等では法令に準拠した火災報知システムを設置しているが、火災報知システムとナースコールシステムはそれぞれ独立した別個のシステムであることから、以下の不都合があった。
【００１０】
すなわち、入院患者の容態急変などの医療に関する緊急事態の発生頻度に比べて、火災発生等の緊急事態の発生頻度は遙かに少ない。このため、ナースセンター２に詰めている看護師等は、ナースコール親機３の表示操作に習熟しているものの、火災報知システムの表示操作に不慣れを否めない。
【００１１】
したがって、突然、火災警報が鳴り響いた場合に、うろたえることなく、冷静沈着にその火災発生箇所を特定し、初期消火や避難誘導などの対処行動を即応的に行うことが困難であるという危機管理上の問題点がある。
【００１２】
そこで、本発明は、ほとんどの看護師等はナースコール親機の表示操作に習熟していることに着目し、そのナースコール親機に、火災等の緊急事態発生の場所をきめ細かく特定できる情報も表示することにより、医療に関する緊急事態のみならず、火災等の緊急事態発生時にも特別な訓練を要することなく即応的に対処できるナースコールシステムを提供することを目的とする。
【００１３】
【課題を解決するための手段】
本発明に係るナースコールシステムは、上記の課題を達成するために、以下の構成を備える。
【００１４】
すなわち、複数のナースコール子機からの呼び出しを個別に表示すると共に呼び出し元のナースコール子機との間で会話を交わすことができるナースコール親機を備え、
前記ナースコール親機は、前記ナースコール子機の各々に対応した操作表示セルを多数有するナースコールシステムにおいて、
前記操作表示セルはそれぞれ個別の火災表示灯を備え、
前記ナースコール親機は、火災発生時に火災報知システムから出力される火災発報信号を受信する受信手段と、
当該火災発報信号に含まれる火災発報感知器の固有識別情報に基づいて当該火災発報感知器に最も近い位置のナースコール子機に対応した前記操作表示セルを特定する特定手段と、
前記特定手段によって特定された操作表示セルに備えられた火災表示灯の表示態様を所定の警告表示状態に制御する点灯制御手段とを備える。
【００１５】
ここで、「火災発報感知器の固有識別情報」について解説する。一般に通常の火災感知器は、単に火災発報信号を出力するだけであり、火災発生場所の特定は、複数の火災感知器を含む回線単位（たとえば、フロアー単位など）に行われるが、たとえば、特開２００１−１８４５７１号公報（平成１３年７月６日）に開示されているアドレッサブル火災感知器は、各々の火災感知器に固有の識別情報（アドレス）が付与されており、任意の火災感知器が発報したときには、その発報感知器のアドレスに基づいて、感知器単位で火災発生場所を特定することができる。
【００１６】
本発明の課題の重要なポイント（火災等の緊急事態発生の場所をきめ細かく特定できる情報を表示する）は、通常の火災感知器を備えた火災報知システムとの連携では達成し得ない。通常の火災感知器を備えた火災報知システムでは、たとえば、フロアー単位でしか火災発生場所を特定できないからである。
【００１７】
これに対して、アドレッサブル火災感知器を備えた火災報知システムの場合は、感知器単位で火災発生場所を特定することができるから、本発明の課題の重要なポイント（火災等の緊急事態発生の場所をきめ細かく特定できる情報を表示する）を達成する上で、その火災報知システムから出力される『火災発報感知器の固有識別情報を含む火災発報信号』は、欠くことのできない要素の一つである。
【００１８】
したがって、本発明は、上記の要素を含むから、火災発生時に、ナースコール親機に設けられたベッド単位の火災表示灯を個別に点灯させることができ、火災等の緊急事態発生の場所をきめ細かく特定できる情報を表示することができる。このため、表示操作に習熟したナースコール親機を利用してピンポイントの火災警報を視認性よく直感的に行うことができ、医療に関する緊急事態のみならず、火災等の緊急事態発生時にも特別な訓練を要することなく即応的に対処できるナースコールシステムを提供することができる。
【００１９】
また、火災発生時に火災報知システムから出力される火災発報信号を受信し、当該火災発報信号に含まれる火災発報感知器の固有識別情報に基づいてナースコール親機の個別の火災表示灯を点灯制御すると共に、当該ナースコール親機の無線発信機を駆動して、看護師又はその他の医療従事者が携帯する医療用コードレスホン又は携帯電話機もしくは無線通信端末に前記火災発報感知器の場所を示す情報を表示させるようにすると、医療用コードレスホン又は携帯電話機もしくは無線通信端末を携帯する看護師又はその他の医療従事者が、仮に、ナースコール親機の設置場所（一般に看護師詰め所等）から離れた場所にいたとしても、いちいち看護師詰め所等に戻ることなく、直ちに火災発生場所を知ることができ、初期消火や避難誘導及び消防署への通報等、所要の対処行動を遅滞なく行うことができる。
【００２０】
【発明の実施の形態】
以下、本発明の実施の形態を、アドレッサブル感知器を有するＰ（Ｐｒｏｐｒｉｅｔａｒｙ  Ｔｙｐｅの頭文字）型火災報知システム（以下、単に「火災報知システム」という。）との併用を例にして、図面を参照しながら説明する。
【００２１】
なお、以下の説明における様々な細部の特定ないし実例および数値や文字列その他の記号の例示は、本発明の思想を明瞭にするための、あくまでも参考であって、それらのすべてまたは一部によって本発明の思想が限定されないことは明らかである。また、周知の手法、周知の手順、周知のアーキテクチャおよび周知の回路構成等（以下「周知事項」）についてはその細部にわたる説明を避けるが、これも説明を簡潔にするためであって、これら周知事項のすべてまたは一部を意図的に排除するものではない。かかる周知事項は本発明の出願時点で当業者の知り得るところであるので、以下の説明に当然含まれている。
【００２２】
図１は、本発明に係るナースコールシステムと火災報知システムとの連携概念図である。この図において、ナースコールシステム１０は、患者からの呼び出しを受け、患者との間で会話を交わし、所要の対応行動をとることができる点で前記の従来技術と共通するが、本実施の形態のナースコールシステム１０は、それに加えてさらに、火災報知システム１００から出力される、火災発報感知器の固有識別情報を含む火災発報信号に基づいて、その火災発報感知器に最も近いナースコールシステムナースコール子機を特定し、ナースコール子機単位に火災発報箇所の位置表示をきめ細かく行う点で相違する。
【００２３】
＜ナースコールシステムについて＞
まず、はじめにナースコールシステム１０について説明する。
【００２４】
図２（ａ）は、ナースコールシステム１０のナースコール親機１１を示す外観図（特に限定しないが壁掛け形）である。ナースコール親機１１は、フロントパネル１２の前面に会話用のハンドセット１３と、操作表示ユニット１４とを備える。なお、１２ａは後述の操作部２１（図３参照）の隠しパネルである。
【００２５】
図２（ｂ）は、操作表示ユニット１４を構成する一つの操作表示セル１５を示す図である。この図において、操作表示セル１５は、中央にネームプレート１６を、また、その左脇に火災表示灯１７及び呼び出し表示灯１８を縦に並べ、その右脇に操作ボタン１９を配置して構成されている。なお、火災表示灯１７は、後で詳しく説明するが、表示ランプ１７ａとスイッチ１７ｂによって構成されている（図４参照）。
【００２６】
それぞれの操作表示セル１５は、病院等の各所に設けられたナースコール子機（図２１のナースコール子機５や押しボタン９を参照）の各々に対応付けられている。たとえば、図２（ｂ）に示す操作表示セル１５が、ある病室の所定のベット（便宜的にそのベッドに寝ている患者名を“日本花子”さんとする。）の枕元に備え付けられているナースコール子機に対応付けられていると仮定すると、ネームプレート１６には患者名“日本花子”が書き込まれており、さらに、その患者（“日本花子”さん）の枕元のナースコール子機が操作されたときには、呼び出し表示灯１８が点灯または点滅（以下「点灯」で代表する。）し、当該患者からの呼び出しをナースコール親機１１の設置場所（一般にナースセンター）に所在する看護師等に通知できるようになっている。そして、通知を受けた看護師等は操作ボタン１９を押して呼び出し表示灯１８を消し、ハンドセット１３を取り上げて当該患者（“日本花子”さん）のナースコール子機との間で会話を交わし、必要であれば当該患者の元に向かうなどの対応行動をとることができるようになっている。
【００２７】
さて、すべての操作表示セル１５に備え付けられている火災表示灯１７は、本実施の形態における特徴的な構成要素の一つである。この火災表示灯１７は、その名前が示すとおり、火災発生時に、その表示態様が所定の警告表示状態（一般に点灯または点滅）に制御されるようになっており、ナースコール親機１１の設置場所に所在する看護師等に火災の発生を告知する。かかる告知の点において、本実施の形態における火災表示灯１７と、火災報知システムの火災表示灯（図１０の火災代表灯１１６や地区表示部１１７を参照）と何ら変わる点はない。双方とも火災発生時に警告表示状態となり、火災の発生を告知するからである。
【００２８】
しかし、本実施の形態における火災表示灯１７は、ナースコール親機１１の操作表示セル１５ごとに設けられている点で火災報知システムのそれとは明確に異なる。ナースコール親機１１の操作表示セル１５は、病院等の各所に設けられたナースコール子機（図２１のナースコール子機５や押しボタン９を参照）の各々に対応付けられており、且つ、ナースセンターに詰めている看護師等は、各々の操作表示セル１５と、患者のベッド位置及びトイレや浴室内の押しボタン位置との対応関係を直感的に把握しているため、本実施の形態における火災表示灯１７による火災告知は、火災報知システムのそれとは違い、火災警報が急に鳴り出した場合であっても、うろたえることなく、冷静沈着にその火災発生箇所を特定することができ、初期消火や避難誘導などの対処行動を即応的に行うことができる。
【００２９】
つまり、本実施の形態におけるナースコールシステム１０は、火災が発生した場合、特定の操作表示セル１５の火災表示灯１７を警告表示状態とするため、看護師等は、通常見慣れた操作表示セル１５の位置から直感的に火災発生場所を特定することができるのである。
【００３０】
図３は、ナースコール親機１１の概略的な内部ブロック構成図である。この図において、ナースコール親機１１は、ハンドセット１３及び操作表示ユニット１４を備えると共に、制御部２０、操作部２１、第一入出力部２２及び第二入出力部２３を備える。操作部２１は、制御部２０に対して様々な設定操作を行うためのものであり、たとえば、設定モードと運用モードを切り換えるためのモード切替スイッチ２１ａを有している。このモード設定スイッチ２１ａの役割については後で詳しく説明する。
【００３１】
第一入出力部２２は、病院等の各所に設けられたナースコール子機群２２ａ（図２１のナースコール子機５や押しボタン９を参照）からの呼び出し信号を制御部２０に伝え、また、ナースコール親機１１のハンドセット１３とナースコール子機群２２ａとの間で交わされる会話信号のインターフェースを取るものである。第二入出力部２３は、本実施の形態に特有の要素の一つであり、火災報知システム１００から出力される、火災発報感知器の固有識別情報を含む火災発報信号を取り込んで制御部２０に伝えるものである。
【００３２】
図４は、操作表示セル１５の詳細構成図、並びに、制御部２０と第一及び第二入出力部２２、２３間のデータ入出力概念図である。この図において、Ａはナースコール子機群２２ａからの呼び出し信号を表し、Ｂは設定モード時における火災発報信号（試験的に発報させた疑似火災発報信号）を表し、Ｃは運用モード時における火災発報信号（火災に伴う真の発報信号）を表している。
【００３３】
操作表示セル１５は、火災表示灯１７、呼び出し表示灯１８及び操作ボタン１９を有し、火災表示灯１７は表示ランプ１７ａとスイッチ１７ｂとにより構成される。スイッチ１７ｂはノーマリィオフ型のものであり、その接点は表示ランプ１７ａを押している間、オン状態になる。
【００３４】
制御部２０は、信号Ａが入力したとき、その信号Ａを発生したナースコール子機に対応する操作表示セル１５を特定し、当該操作表示セル１５の呼び出し表示灯１８を点灯または点滅させる。さらに、制御部２０は、当該操作表示セル１５の操作ボタン１９のオン動作に応答して、当該操作表示セル１５の呼び出し表示灯１８を消灯させる。また、制御部２０は、後述の設定モードにおいて、信号Ｂが入力したときに、その信号Ｂに含まれる火災報知感知器の固有識別情報と、特定の操作表示セル１５との対応付けを行い、その対応関係を記憶し、さらに、制御部２０は、後述の運用モードにおいて、信号Ｃが入力したときに、その信号Ｃに含まれる火災報知感知器の固有識別情報に基づいて操作表示セル１５の特定を行い、特定された操作表示セル１５の火災表示灯１７（の表示ランプ１７ａ）を所定の警告表示状態に制御する。
【００３５】
図５は、制御部２０の概念ブロック構成図である。制御部２０は、ＣＰＵ２０ａと、ＲＯＭ２０ｂと、ＲＡＭ２０ｃと、入出力部２０ｄとを備える。ＣＰＵ２０ａはＲＯＭ２０ｂにあらかじめ格納された制御プログラムをＲＡＭ２０ｃにロードしてその制御プログラムを実行することにより、入出力部２０ｄを介してやり取りされる各種のデータや信号を処理しつつ、ナースコール親機１１に必要な様々な機能を実現する。なお、図示の制御部２０は、設計容易性や改修容易性などの観点から、マイクロプロセッサ（ＣＰＵ２０ａ）を主たる要素とする、いわゆるマイクロプログラム制御方式のものであるが、これに限定されず、たとえば、ハードロジックで設計されたものであってもよい。
【００３６】
図６は、制御部２０のＣＰＵ２０ａで実行される制御プログラムの概略的なフローチャートである。このフローチャートを開始すると、以下の処理を繰り返し実行する。すなわち、まず、ナースコール子機群２２ａからの呼び出し（ナースコール）の有無を判定し（ステップＳ１１）、ナースコールありの場合は所要のナースコール処理を実行する（ステップＳ１２）。次に、火災発報信号が入力しているか否かを判定し（ステップＳ１３）、入力している場合は火災発報処理を実行する（ステップＳ１４）。なお、ナースコール処理の詳細については、本発明と直接の関係がないため説明を省略する。
【００３７】
図７は、火災発報処理の概略的なフローチャートである。このフローチャートでは、まず最初に、操作部２１に設けられたモード設定スイッチ２１ａの状態を調べてモード判定を実行する（ステップＳ１４ａ）。各モード毎の動作を説明する。
【００３８】
＜設定モード＞
設定モードは、モード設定スイッチ２１ａを「設定」位置にしたときのモードである。このモードは、火災感知器の動作試験を行う際に並行して実行することができる。
【００３９】
図８は、設定モード実行時におけるナースコールシステム１０と火災報知システム１００の連携操作概念図である。まず、（ａ）ナースコール親機１１の隠しパネル１２ａを開き、その裏側にあるモード切替スイッチ２１ａを「設定」位置にする。次いで、火災報知システム１００の火災感知器３０に適合した試験治具３１を携帯する試験員３２によって、病院等の各所に設置されている火災感知器３０の試験発報を行う。試験員３２は携帯電話等の通信機３３を携帯しており、現在、どの火災感知器３０を試験発報させているかを通知する。通知先は、少なくともナースコール親機１１の操作員（不図示）である。
【００４０】
再び、図７のフローチャートに戻り、図８のようにして火災感知器３０の試験発報を行うと、発報した火災感知器（以下「火災発報感知器」という）３０にあらかじめ割り当てられている固有の識別情報（感知器アドレスまたは単にアドレス）を含む火災発報信号が火災発報システム１００からナースコール親機１１へと伝えられる。なお、火災報知システム１００における感知器アドレスについては、後で詳しく説明する。
【００４１】
上記のようにして、火災発報システム１００から火災発報感知器３０のアドレスを含む火災発報信号がナースコールシステム１０に伝えられると、ナースコール親機１１は、すべての火災表示灯１７、詳しくは、フロントパネル１２の前面に設けられている操作表示ユニット１４を構成するすべての操作表示セル１４の火災表示灯１７の表示ランプ１７ａを点滅させる（ステップＳ１４ｂ）。ナースコール親機１１の操作員は、試験員３２からの通知を受け、現在、どの場所に設置されている火災感知器３０を試験発報させているかを知り、当該位置に最も近い操作表示セル１４を判断して、その火災表示灯１７を押し下げ操作する。たとえば、試験員３２から「病室Ａのベット番号１の真上にある火災感知器３０を試験発報させた旨」の通知を受けると、ナースコール親機１１の操作員は、「病室Ａのベッド番号１」に対応する患者名（たとえば、“日本花子”さん）のネームプレート１６が付いた操作表示セル１４の火災表示灯１７を押し下げ操作する。
【００４２】
このような操作は、とりわけナースコール親機１１の設置場所に所在する看護師等にとってきわめて容易なことである。ほとんどの看護師等は、ナースコール親機１１の操作表示セル１４の配置と、実際の病室及びその病室内のベッド配置との対応関係を正しく把握しているからである。したがって、前記の操作員は、看護師等の一人であることが望ましい。
【００４３】
上記のようにして、操作員により操作表示セル１４の火災表示灯１７が押し下げ操作されると（ステップＳ１４ｃ）、次に、ナースコール親機１１は、押し下げ操作された火災表示灯１７と火災発報感知器３０との対応付けを行い（ステップＳ１４ｄ）、その対応付け情報を記憶する（ステップＳ１４ｅ）。そして、当該押し下げ操作された火災表示灯１７のみを点灯状態とし、他の火災表示灯１７を消灯（ステップＳ１４ｆ）させた後、図６のフローチャートに復帰する。
【００４４】
図９は、火災表示灯１７と火災発報感知器３０との対応付けテーブル３４の概念図である。このテーブル３４は、多数のデータレコードから構成されており、各レコードは火災表示灯アドレスフィールド３４ａと感知器アドレスフィールド３４ｂとを有する。火災表示灯アドレスフィールド３４ａには、あらかじめナースコール親機１１における操作表示セル１４のそれぞれに割り当てられた固有の識別情報（火災表示灯アドレス；図では“１”、“２”、“３”、“４”、・・・・）が格納されており、感知器アドレスフィールド３４ｂには、上記のステップＳ１４ｅ及びステップＳ１４ｅを実行した後に、任意の火災感知器アドレスが格納される。
【００４５】
たとえば、「病室Ａのベッド番号１」に対応する患者名（たとえば、“日本花子”さん）のネームプレート１６が付いた操作表示セル１４の火災表示灯１７の火災表示灯アドレスを便宜的に“１”とすると、そのレコードの火災感知器アドレスフィールド３４ｂには、「病室Ａのベット番号１の真上にある火災感知器３０」の火災感知器アドレス（便宜的に“１”）が格納される。
【００４６】
なお、図示のテーブル３４において、一つの火災表示灯アドレス（“３”）に対応して二つの火災感知器アドレス（“３”と“４”）が格納されている。これは、火災表示灯１７と火災発報感知器３０との関係が１対多である場合の対応ケースを表している。たとえば、一つの火災感知器が一つのベットの真上になく、複数のベッドからほぼ等距離に位置しているケースの場合である。この場合、ナースコール親機１１の操作員は、試験員３２からの通知を受け、それらのベッド位置に対応した複数の火災表示灯１７を押し下げ操作することになる。
【００４７】
＜運用モード＞
このモードは、モード設定スイッチ２１ａを「運用」位置にしたときのモードであり通常用いられる選択モードである。火災報知システム１００の試験を行っていない通常の状態で、図６のステップＳ１３の判定結果がＹＥＳとなる場合は、病院等の各所に設けられた火災感知器３０が火災等を感知して実際に火災発報が行われたときである。この場合、運用モードにおいては、まず、テーブル３４を検索して火災発報感知器３０に対応付けられている火災表示灯１７を特定し（ステップＳ１４ｇ）、その火災表示灯１７を所定の警告表示状態に制御（ステップＳ１４ｈ）した後、図６のフローチャートに復帰するという処理を実行する。
【００４８】
たとえば、「病室Ａのベット番号１の真上にある火災感知器３０」が発報した場合は、その火災感知器アドレスを“１”とし、その火災感知器アドレスに対応してテーブル３４に格納されている火災表示灯アドレスを“１”とすると、この場合は、“１”のアドレスを持つ火災表示灯１７が所定の警告表示状態に制御される。そして、この火災表示灯１７は、「病室Ａのベット番号１」の患者（“日本花子”さん）に対応する特定の操作表示セル１５に含まれているから、その火災表示灯１７の警告表示状態を認めた看護師等は、即座に「病室Ａのベット番号１」で火災が発生したことを直感的に把握することができ、初期消火や避難誘導及び消防機関への通報等、所要の対処行動を遅滞なく速やかに講じることができる。
【００４９】
以上の点をまとめると、本実施の形態における技術思想は、
（１）病院等に従事する看護師等は、配属されたばかりの新人を除いて例外なく、ナースコール親機１１の表示と、実際の患者のベット位置との関係を正しく把握していること、
（２）アドレッサブル火災感知器を有する火災報知システム１００は、火災等の発報位置を火災感知器単位で検知でき、その火災発報感知器の固有識別情報を外部に出力できること、
（３）の二つの点に着目し、ナースコール親機１１に設けられているベッド単位の操作表示セル１５のそれぞれに火災表示灯１７を併設し、且つ、火災発報時に火災報知システム１００から出力される火災発報感知器の固有識別情報に基づいて、上記火災表示灯１７を選択的に警告表示状態とすることにより、
（４）患者の容態急変といった医療に関する緊急事態のみならず、火災等の緊急事態発生時にも特別な訓練を要することなく即応的に対処できる利便性の高いナースコールシステム１０を提供することとしたのである。
【００５０】
＜火災報知システムについて＞
さて、上記の技術思想において、『火災報知システムから出力される火災発報感知器の固有識別情報』は欠くことのできない事項の一つである。以下、この事項を理解するために、アドレッサブル火災感知器を有する火災報知システム１００の一例を詳しく説明する。
【００５１】
図１０は、火災報知システム１００の概念的なシステム構成図である。この図において、火災受信機１１０からは、ｎ個（図では便宜的にｎ＝４）の感知器回線１１２ａ〜１１２ｄと、ナースコール親機１１への信号線Ｆが引き出されている。感知器回線１１２ａ〜１１２ｄはそれぞれ後述するように２線式の構成（Ｌ線とＣ線のペア構成）であり、各々の感知器回線１１２ａ〜１１２ｄには、任意数の火災感知器１１３（その一つは図８の火災感知器３０に相当）が並列接続されると共に、感知器回線１１２ａ〜１１２ｄの各端末は、抵抗１１４で終端されている。
【００５２】
ここで、火災感知器１１３は、要するに、火災を検出したときに、接続された感知器回線を短絡（Ｌ線とＣ線の間を短絡）状態とするものであり、実際の火災感知器１１３としては、たとえば、感知器回線１１２ａについて代表的に示すように、光電式煙感知器１１３ａ、サーミスタ式熱感知器１１３ｂ、差動式感知器１１３ｃ、定温式感知器１１３ｄなど、様々なタイプの火災感知器を使用することができる。
【００５３】
火災受信機１１０は、そのフロントパネル１１５に、各種の表示灯や操作ボタンなどを配置して構成されている。たとえば、図示の例では、火災発生時に点灯する火災代表灯１１６や火災発生場所を表示する地区表示部１１７及び操作部１１８並びに音響出力部１１９などが設けられているほか、小扉１２０の内側に保守点検用の操作表示部１２１が設けられている。
【００５４】
図１１は、火災受信機１１０及び火災感知器１１３の電気的構成図である。火災受信機１１０は、受信制御部１２２や回線選択部１２３などを含む中央制御部１２４、フロントパネル１１５、情報出力部１２５、メモリ１２６、ｎ個の電流検出部（以下、第１電流検出部１２７＿１〜第ｎ電流検出部１２７＿ｎ）などを備えて構成されている。
【００５５】
ここで、情報出力部１２５は、いずれかの火災感知器１１３が火災発報状態であることを検出部で検出したときに、その情報（移報ともいう）を外部に出力（本実施の形態における出力先は少なくともナースコール親機１１である）するものである。移報は火災発報の情報と、その発報を行った火災感知器１１３の固有識別情報を含む。また、メモリ１２６は、中央制御部１２４の動作ソフトを格納するマスクロムやフラッシュロムなどである。動作履歴や出荷時の品質管理情報を書き込むこともできる。
【００５６】
火災報知システムを構築する場合は、第１電流検出部１２７＿１〜第ｎ電流検出部１２７＿ｎのそれぞれから引き出された感知器回線（説明の都合上、１１２ａ〜１１２ｃの三つとする）のＬ線とＣ線に、任意数（便宜的にｍ個、すなわちＮｏ．１〜Ｎｏ．ｍ）の火災感知器１１３を接続すると共に、各感知器回線１１２ａ〜１１２ｃのＬ線とＣ線の端末に終端のための抵抗１１４を接続する。
【００５７】
第１電流検出部１２７＿１〜第ｎ電流検出部１２７＿ｎは、中央制御部１２４のタイムシェアリング制御（後述）により、それぞれ所定の時間ごとに時分割動作し、各々に接続された感知器回線のＬ線とＣ線の間に流れる電流の大きさを検出する。
【００５８】
すなわち、第１電流検出部１２７＿１は、第１のタイムシェアリング期間で感知器回線１１２ａのＬ線とＣ線の間に流れる電流の大きさを検出し、第２電流検出部１２７＿２は、第２のタイムシェアリング期間で感知器回線１１２ｂのＬ線とＣ線の間に流れる電流の大きさを検出し、第ｎ電流検出部１２７＿ｎは、第ｎのタイムシェアリング期間で感知器回線１１２ｃのＬ線とＣ線の間に流れる電流の大きさを検出し、いずれもその計測信号を、各々のタイムシェアリング期間において中央制御部１２４に出力する。
【００５９】
中央制御部１２４は、火災受信機１１０の全体動作を制御するものである。その具体的な構成は、設計容易性や改修容易性などの点で、一般にマイクロプロセッサを主たる要素とする、いわゆるマイクロプログラム制御方式で設計されることが多いが、たとえば、ハードロジックで設計されたものであってもよい。
【００６０】
中央制御部１２４に必要な第一の機能はフロントパネル１１５や情報出力部１２５の動作制御機能であり、第二の機能は火災発報の検出制御機能、その火災発報位置の火災感知器単位の判定制御、及び、第１電流検出部１２７＿１〜第ｎ電流検出部１２７＿ｎのタイムシェアリング制御機能である。
【００６１】
図示の受信制御部１２２及び回線選択部１２３は、第二の機能を模式的に表した概念ブロックである。すなわち、受信制御部１２２は、第１電流検出部１２７＿１〜第ｎ電流検出部１２７＿ｎからの計測信号に基づいて火災の発報を検出し、その火災発報位置を火災感知器１１３の単位に判定するものであり、また、回線選択部１２３は、第１電流検出部１２７＿１〜第ｎ電流検出部１２７＿ｎのタイムシェアリング動作を制御するものである。
【００６２】
図１２は、中央制御部１２４（の一部）及び電流検出部（第１電流検出部１２７＿１〜第ｎ電流検出部１２７＿ｎ）の回路構成を示す図である。なお、図示の回路構成は、実施の形態の動作を説明する上でのあくまでも例示に過ぎない。
【００６３】
電流検出部（第１電流検出部１２７＿１〜第ｎ電流検出部１２７＿ｎ）は、いずれも同一の構成を有しており、代表として、第１の電流検出部１２７＿１を説明すると、第１の電流検出部１２７＿１は、感知器回線接続用の二つの端子（Ｌ１、Ｃ１）、電流検出回路１３０、及び、スイッチング回路１３１を備え、それら各部の詳細は、以下のとおりである。
【００６４】
Ｌ１端子には感知器回線１１２ａのＬ線が接続され、Ｃ１端子には感知器回線１１２ａのＣ線が接続される。Ｃ１端子は共通電位（コモン電位；図では接地電位）に接続されており、電流検出回路１３０は、二つの端子（Ｌ１、Ｃ１）の間に流れる電流に比例した電流を検出し、スイッチング回路１３１は、電流検出回路１３０で検出した電流を所定のタイムシェアリング期間に計測信号として中央制御部１２４に出力する。
【００６５】
図示の電流検出回路１３０は、四つの抵抗素子１３０ａ〜１３０ｄ、オペアンプ１３０ｅ及びトランジスタ１３０ｆを備え、Ｌ１端子と＋２４Ｖ電源との間に抵抗素子１３０ａ、１３０ｂを直列挿入し、それらの抵抗素子１３０ａ、１３０ｂの接続点をオペアンプ１３０ｅの反転入力（−入力）に接続し、＋２４Ｖ電源を抵抗素子１３０ｃを介してオペアンプの非反転入力（＋入力）に接続し、オペアンプ１３０ｅの出力をトランジスタ１３０ｆのベースに接続し、オペアンプ１３０ｅの非反転入力をトランジスタ１３０ｆのエミッタに接続して構成されている。
【００６６】
スイッチング回路１３１は、三つの抵抗素子１３１ａ、１３１ｂ、１３１ｃ及び二つのトランジスタ１３１ｄ、１３１ｅを備え、トランジスタ１３１ｄのコレクタ−ベース間に抵抗素子１３１ａを接続し、トランジスタ１３１ｄのエミッタを、電流検出回路１３０のトランジスタ１３０ｆのコレクタに接続し、トランジスタ１３１ｄのベースを抵抗素子１３１ｂを介してトランジスタ１３１ｅのコレクタに接続するとともに、エミッタを共通電位に接続したトランジスタ１３１ｅのベースに、抵抗素子１３１ｃを介して中央制御部１２４（の回線選択部１２３）からのタイムシェアリング信号（Ｔ１）を印加し、トランジスタ１３１ｄのコレクタを中央制御部１２４（の受信制御部１２２）に設けられた負荷抵抗１２２ａを介して共通電位に接続して構成されている。
【００６７】
図中の“Ｔ１”は第１電流検出部１２７＿１のタイムシェアリング信号、“Ｔ２”は第２電流検出部１２７＿２のタイムシェアリング信号、“Ｔｎ”は第ｎ電流検出部１２７＿ｎのタイムシェアリング信号であり、“ＳＩ”は負荷抵抗１２２ａの両端から取り出される電流−電圧変換信号である。
【００６８】
このような構成において、スイッチング回路１３１のトランジスタ１３１ｄ、１３１ｅは、タイムシェアリング信号Ｔ１の電位を切り換えることにより、オン／オフ変化する。以下、便宜的にトランジスタ１３１ｄ、１３１ｅがオンになるときのタイムシェアリング信号Ｔ１の電位状態を「アクティブ」ということにすると、このアクティブ状態においては、電流検出回路１３０のトランジスタ１３０ｆのコレクタは、中央制御部１２４（の受信制御部１２２）に設けられた負荷抵抗１２２ａを介して共通電位に接続された状態にある。
【００６９】
そして、このときの、電流検出回路１３０のトランジスタ１３０ｆのコレクタ電流ｉｃは、二つの入力抵抗（抵抗素子１３０ａ、１３０ｃ）の抵抗比に従って正確に制御される。すなわち、＋２４Ｖ電源から感知器回線１１２ａに流れ込む電流をｉａとし、且つ、オペアンプ１３０ｅの二つの入力抵抗（抵抗素子１３０ａ、１３０ｃ）の抵抗比をＡとすると、ｉｃ＝ｉａ／Ａとなり、たとえば、抵抗素子１３０ａを１００Ω、抵抗素子１３０ｃを１０ｋΩとすると、抵抗比Ａは１／１００になるから、ｉｃ＝ｉａ／１００となり、タイムシェアリング信号Ｔ１のアクティブ期間においては、中央制御部１２４の負荷抵抗１２２ａに、＋２４Ｖ電源から感知器回線１１２ａに流れ込む電流ｉａを正確に１／１００にした電流ｉｃを流すことができる。
【００７０】
したがって、たとえば、負荷抵抗１２２ａを１０ｋΩとすると、その負荷抵抗１２２ａの両端から取り出される電流−電圧変換信号ＳＩの値は、１０ｋΩ×ｉｃとなるから、たとえば、ｉａ＝３５ｍＡのとき、ＳＩ＝１０ｋΩ×ｉｃ＝１０ｋΩ×（３５ｍＡ／１００）＝３．５Ｖとなる。
【００７１】
図１３（ａ）は、タイムシェアリング動作の概念図である。図中模式化して示す多接点スイッチ１３２は、第１電流検出部１２７＿１〜第ｎ電流検出部１２７＿ｎのｎ個のスイッチ回路１３１をまとめたものである。この多接点スイッチ１３２は、図１３（ｂ）に示すタイムシェアリング信号Ｔ１〜Ｔｎの巡回的なアクティブ動作（１サイクルを単位に繰り返す）に従って接点を順次に閉じていくものであり、負荷抵抗１２２ａには、上記のアクティブ動作に伴って、Ｌ１回線のｉｃ、Ｌ２回線のｉｃ、・・・・、Ｌｎ回線のｉｃが順次に流れ込み、それを１サイクルとして延々と繰り返すという作用が得られ、その結果、タイムシェアリング期間ごとに感知回線（Ｌ１〜Ｌｎ）ごとのＳＩを取り出すことができる。
【００７２】
さて、以上のとおり、ＳＩはｉａ＝３５ｍＡのときに３．５Ｖとなるが、本実施の形態においては、詳細は後述するが、ｉａは上記の３５ｍＡのほかに、２．４ｍＡと１０ｍＡの合計三種類の値をとる。このため、ＳＩは、３．５Ｖ（ｉａ＝３５ｍＡのとき）、０．２４Ｖ（ｉａ＝０．２４ｍＡのとき）及び１．０Ｖ（ｉａ＝１０ｍＡのとき）の三種類の値をとる。なお、言うまでもなく、これらの電流値（２．４ｍＡ、１０ｍＡ及び３５ｍＡ）は説明のための便宜値である。
【００７３】
図１４は、火災感知器の外観図とその回路ブロック図である。図示の火災感知器１１３は、煙感知器を例にすると、ケース１４０に煙感知窓１４１を形成すると共に、火災発報表示用の発光素子１４２を取り付けて構成されている。ケース１４０の内部には、ノイズ吸収回路／整流回路１４４、電源部１４５、検出回路１４６、アドレス設定部１４７、変調信号発生部１４８、及び、電流変調部１４９が設けられており、これら各部はそれぞれ以下の機能を有する。
【００７４】
ノイズ吸収回路／整流回路１４４は、感知器回線（便宜的に１１２ａ）を介して火災受信機１１０から供給される感知電流（定常時２．４ｍＡ、火災発生時３５ｍＡ／１０ｍＡ）のノイズ成分を取り除き、その電流を整流する回路である。
【００７５】
電源部１４５は、ノイズ吸収回路／整流回路１４４より取り出された感知電流から検出回路１４６及び変調信号発生部１４８の動作に必要な内部電源電圧を発生する回路である。
【００７６】
検出回路１４６は、図示の例においては、煙の濃度を測定して所定値以上の濃度を検知した場合に変調信号発生部１４８の動作を起動するための起動信号を発生する回路である。
【００７７】
アドレス設定部１４７は、少なくとも一つの火災報知システムを構成する各々の火災感知器１１３に固有の識別情報（感知器アドレスまたは単にアドレス情報ともいう）を設定するための回路である。
【００７８】
変調信号発生部１４８は、検出回路１４６からの起動信号に応答して所定の変調信号を発生する回路である。変調信号の詳細は後述するが、火災発報の情報と、アドレス設定部１４７に設定されたアドレス情報とを含む信号である。
【００７９】
電流変調部１４９は、変調信号発生部１４８からの変調信号で感知電流を変調する回路である。この回路の働きにより、定常時（非火災時）に２．４ｍＡであった感知電流が、火災発生時に３５ｍＡと１０ｍＡの二値論理で振幅変調され、その変調波形が火災受信機１１０に伝えられる。
【００８０】
図１５は、感知電流の変調波形を示す図である。なお、（ａ）は比較のために示す通常（アドレッサブルでない火災感知器）の感知電流波形、（ｂ）は本実施形態の感知電流波形である。まず、通常波形を説明すると、非火災発生時の定常時の電流値は２．４ｍＡであり、火災発生時に３５ｍＡへと増大する。火災受信機はこの感知電流の増大変化を検出して火災発報と判定する。
【００８１】
一方、本実施形態の感知電流波形（ｂ）は、定常時に２．４ｍＡ、火災感知時に３５ｍＡへと増大変化する点で通常と同様であるが、感知電流の３５ｍＡ増大期間Ｋａの長さが所定時間ｔａとなっている点、その３５ｍＡ増大期間Ｋａの経過後に所定の振幅変調期間Ｋｂに移行する点、及び、３５ｍＡ増大期間Ｋａと振幅変調期間Ｋｂとを１単位にして、それを繰り返す点で相違する。
【００８２】
図１６は、本実施形態の火災報知システムにおける火災受信機１１０の動作概要を示すタイムチャートである。（ａ）は定常時のｉｃ、サンプリングクロックＣＫ及びそのサンプリングクロックＣＫを適用してＳＩ（ｉｃを電圧変換した値）を二値化したディジタル信号波形ＤＳを示している。（ａ）の場合（定常時）、ｉｃ＝２．４ｍＡであるから、先に説明したとおり、ＳＩは０．２４Ｖとなり、二値化のためのしきい値を、たとえば、１．０Ｖを若干上回る値としておけば、ＤＳは０Ｖ（ＣＫのタイミングごとに論理０）を維持する。
【００８３】
一方、（ｂ）は火災発生時のｉｃ、サンプリングクロックＣＫ及びそのサンプリングクロックＣＫを適用してＳＩ（ｉｃを電圧変換した値）を二値化したディジタル信号波形ＤＳを示している。（ｂ）の場合（火災発生時）、ｉｃは３５ｍＡ増大期間Ｋａと振幅変調期間Ｋｂの組み合わせで構成され、振幅変調期間Ｋｂは論理１（３５ｍＡ）と論理０（１０ｍＡ）の組み合わせで構成されるから、上記のしきい値を適用してＳＩ（ｉｃを電圧変換した値）をサンプリングクロックＣＫごとに二値化することにより、図示のディジタル信号波形ＤＳを得ることができる。たとえば、図示のＤＳは、３５ｍＡ増大期間Ｋａで「１１１１１１１１１」（９個の論理１系列）となっており、また、振幅変調期間Ｋｂで「０１０００１０」となっている。ここで、振幅変調期間Ｋｂの信号系列「０１０００１０」は、最初の２ビット（「０１」）がヘッダ部であり、残りの５ビットが感知器アドレス（火災感知器１１３のアドレス設定部１４７で設定されたアドレス）の情報部である。
【００８４】
したがって、本実施形態の火災受信機１１０によれば、３５ｍＡ増大期間Ｋａの継続時間（ｔａ）の間に９個の論理１系列が得られた場合に火災の発報を検知することができ、且つ、ヘッダ部に続く５ビットの情報部から発報した感知器の固有アドレスを知ることができる。たとえば、図示の例では、ヘッダ部に続く５ビットの情報部が「０００１０」となっているたため、これを１０進数変換して「２」、すなわち、アドレス番号“２”が付与された火災感知器１１３からの発報であることを火災受信機１１０で知ることができる。
【００８５】
このように、本実施形態の火災報知システム１００によれば、図１７にその火災感知器１１３における動作フローチャートを示すように、定常時（非火災発生時）にはＬＣ間電流を２．４ｍＡに維持し（ステップＳ１１１）、火災を検出すると（ステップＳ１１２）、まず、ＬＣ間電流を３５ｍＡに増大（ステップＳ１１３）させて、その３５ｍＡ増大期間Ｋａを所定時間（ｔａ）維持（ステップＳ１１４）した後、アドレス設定部１４７に設定されているアドレス情報を基に、ＬＣ間電流を振幅変調（論理１＝３５ｍＡ、論理０＝１０ｍＡ）すると共に（ステップＳ１１５）、３５ｍＡ増大期間Ｋａの維持と変調動作とを繰り返す。
【００８６】
また、図１８にその火災受信機１１０における動作フローチャートを示すように、ＬＣ間電流が２．４ｍＡ以上（正確には１０ｍＡ＋α以上；αはマージン）であるか否かを判定し（ステップＳ１２１）、その判定結果が“ＹＥＳ”の場合で、且つ、そのＹＥＳ状態が所定時間（ｔａ）継続する場合に（ステップＳ１２２）、火災の発報を検知すると共に、ＬＣ間電流の変調情報からアドレス情報を抽出し（ステップＳ１２３）、且つ、その抽出したアドレス情報を含む火災発報信号を外部（少なくとも前述のナースコール親機１１）に出力する（ステップ１２４）。
【００８７】
したがって、火災受信機１１０で火災発生場所の特定をピンポイント（火災感知器１１３の位置）で行うことができることに加え、その情報を外部のナースコールシステム１０にも出力するようにしたから、ナースコール親機１１の見慣れた表示（ベッド位置の表示等）を利用して火災発生場所の特定をピンポイントで行うことができる。
【００８８】
図１９は、火災発生時のナースコール親機１１の表示状態例を示す図である。この図において、（ａ）は、病院等のフロアー配置図であり、２００〜２０４は病室、２０５はトイレ、２０６は浴室、２０７は廊下、２０８〜２２７はベッド、２２８〜２５３は火災感知器である。また、（ｂ）は、ナースコール親機１１のいくつかの操作表示セル１５ａ〜１５ｆを示す図であり、たとえば、左上の操作表示セル１５ａが、病室２００のベッド２０８（ハッチングで示すベッド）に対応しているものとする。今、左上の操作表示セル１５ａの火災表示灯１７とベッド２０８の真上の火災感知器２２８とがあらかじめ正しく対応付けられているものとすると、このベッド２０８で火炎２５４が上がった場合、火炎２５４に最も近い火災感知器２２８が発報する。
【００８９】
先に説明したとおり、本実施の形態の火災報知システム１００は、火災発報感知器（この場合、火災感知器２２８）のアドレスを特定し、且つ、そのアドレスをナースコール親機１１に通知する。
【００９０】
そして、本実施の形態のナースコール親機１１は、火災報知システム１００から通知された火災感知器２２８のアドレスに対応付けられている火災表示灯１７を特定し、その火災表示灯１７を所定の警告状態表示（一般に点灯または点滅であるが、それ以外の表示態様であっても構わない）に制御する。
【００９１】
したがって、上記例示の場合は、火炎２５４が上がったベッド２０８に対応する操作表示セル１５ａの火災表示灯１７が所定の警告状態表示に制御されるから、ナースコール親機１１を見慣れている看護師等は、その警告状態表示を一瞥するだけで、どの病室のどのベットが火元であるかを誤りなく即座に判断することができる。
【００９２】
なお、以上の実施の形態では、ナースコールシステム１０のナースコール親機１１を壁掛け形として説明したが、これに限定されず、卓上型であってもよく、または、パーソナルコンピュータ等の画面上にグラフィカルに表示されるものであってもよい。
【００９３】
たとえば、パーソナルコンピュータのディスプレイ上に、図２（ａ）の操作表示ユニット１４を模してデザインされた画面オブジェクトを表示してもよい。この場合、その画面オブジェクトは、病院等の各所に設けられたナースコール子機（図２１のナースコール子機５や押しボタン９を参照）の各々に対応付けられた複数の操作表示セルオブジェクトを含み、且つ、それぞれの操作表示セルオブジェクトは、図２（ｂ）の操作表示セル１５と同一または類似の構成及び機能を有していればよく、一つの例としては、中央にネームプレート１６に相当する文字列表示用コントロールを配置し、また、その左脇に火災表示灯１７や呼び出し表示灯１８に相当するグラフィック表示用コントロールを配置し、且つ、その右脇に操作ボタン１９に相当するコマンドボタンコントロールを配置してもよい。ただし、前記の「設定モード」に対処するために、火災表示灯１７に相当するグラフィック表示用コントロールについては、単なる表示機能だけでなく、ユーザ操作（マウスのクリックイベント等）を受け付けることができるものとしておく必要がある。
【００９４】
また、上記の実施の形態は、火災発生時にナースコール親機１１の火災表示灯１７を所定の警告表示状態にするという、要するに、ナースコール親機１１のみによる火災発生警告表示を行っているが、本発明の技術思想の外延はこれに限定されない。たとえば、大規模な病院等においては、医師や看護師等が医療用コードレスホン（電波の強さを低く抑えた無線電話端末。典型的には医療用ＰＨＳ端末。ＰＨＳ：Personal Handyphone System）を携帯しているが、この医療用コードレスホンシステムは、単に端末間の相互通話に用いられるだけでなく、たとえば、ナースコールシステムとの連携によってナースコール端末としても使用できるようになっており、ナースコール親機から離れた場所にいる場合であっても患者からの呼び出しに対応できるようになっているから、前記実施の形態におけるナースコールシステム１０も、当然、かかる医療用コードレスホンシステムとの連携を考慮してもよい。
【００９５】
図２０は、前記実施の形態の発展例であり、医療用コードレスホンシステムとの連携イメージ図である。この図において、ナースコールシステム１０は、火災報知システム１００から火災発報感知器の固有識別情報を含む火災発報信号を受け取ると、ナースコール親機１１の火災表示灯（図２の火災表示灯１７を参照）の表示態様を選択的に制御する点で前記の実施の形態と共通し、次の点で相違する。
【００９６】
すなわち、図示のナースコールシステム１０は、医療用コードレスホンシステム３００に接続されており、ナースコール親機１１の火災表示灯の表示態様制御を行う際に、医療用コードレスホンシステム３００のエアステーション３０１を経由して、すべての医療用コードレスホン３０２＿１〜３０１＿ｎのそれぞれに対し、火災発生を示す所定の通知情報を出力する点で相違する。ここで、通知情報は、あらかじめ録音された人の声であってもよく、または、あらかじめ登録された文字列を人工音声で読み上げるものであってもよい。若しくは、医療用コードレスホン３０２＿１〜３０１＿ｎが文字列を表示できるタイプのものであれば、文字列そのものであってもよい。
【００９７】
このような構成にすると、医師や看護師等３０３＿１〜３０３＿ｎがナースコール親機１１から離れた場所にいる場合であっても、各々が携帯する医療用コードレスホン３０２＿１〜３０１＿ｎの警告音声または警告文表示により、火災の発生を知ることができ、所要の対処行動を速やかにとることができる。しかも、上記の“通知情報”に、火災発生場所の特定情報（たとえば、「病室１のベッド１で火災発生！」）を含ませておけば、上記の対処行動の正確性を期することができるから、より好ましい。
【００９８】
なお、通知情報に火災発生場所の特定情報を含ませた場合は、その火災発生場所の近くにいる誰か（医師や看護師等３０３＿ｉ；ｉは１〜ｎ）が最初に対処することとなるが、単に、通知情報をすべての医療用コードレスホン３０２＿１〜３０１＿ｎ宛に出力（一方通行の出力）しただけでは、実際に誰が対処しているのか、または、対処すべき者がいないのかをナースセンターで把握することができず、混乱の元になりかねない。これを解決するためには、たとえば、火災発生場所の近くにいる医師や看護師等３０３＿ｉの医療用コードレスホン３０２＿ｉからの応答をナースコール親機１１で受け付けるようにし、さらに、火災表示灯の表示態様を通常状態に復帰させるなどの制御を行うようにすれば、少なくとも、火災表示灯の表示態様が通常状態に復帰したことをもって、誰かが対処していることをナースセンターで知ることができ、混乱を回避することができる。
【００９９】
【発明の効果】
本発明によれば、火災発生時に、ナースコール親機に設けられたベッド単位の火災表示灯を個別に点灯させることができ、火災等の緊急事態発生の場所をきめ細かく特定できる情報を表示することができる。このため、表示操作に習熟したナースコール親機を利用してピンポイントの火災警報を視認性よく直感的に行うことができ、医療に関する緊急事態のみならず、火災等の緊急事態発生時にも特別な訓練を要することなく即応的に対処できるナースコールシステムを提供することができる。
【０１００】
または、医療用コードレスホンシステムと連携することにより、ナースコール親機から離れている場合であっても、火災等の緊急事態発生を支障なく通知することができる。
【０１０１】
また、その通知を行った場合に、医療用コードレスホンシステムからの応答情報をナースコール親機で受け取り、火災表示灯の表示態様を通常状態に復帰させるなどの制御を行えば、誰かが異常事態に対処していることをナースコール親機の設置場所（ナースセンター等）で把握することができ、初動対応の混乱を回避することができる。
【０１０２】
また、火災発生時に火災報知システムから出力される火災発報信号を受信し、当該火災発報信号に含まれる火災発報感知器の固有識別情報に基づいてナースコール親機の個別の火災表示灯を点灯制御すると共に、当該ナースコール親機の無線発信機を駆動して、看護師又はその他の医療従事者が携帯する医療用コードレスホン又は携帯電話機もしくは無線通信端末に前記火災発報感知器の場所を示す情報を表示させるようにすると、医療用コードレスホン又は携帯電話機もしくは無線通信端末を携帯する看護師又はその他の医療従事者が、仮に、ナースコール親機の設置場所（一般に看護師詰め所等）から離れた場所にいたとしても、いちいち看護師詰め所等に戻ることなく、直ちに火災発生場所を知ることができ、初期消火や避難誘導及び消防署への通報等、所要の対処行動を遅滞なく行うことができる。
【図面の簡単な説明】
【図１】本発明に係るナースコールシステムと火災報知システムとの連携概念図である。
【図２】ナースコール親機１１の外観図及び操作表示ユニット１４を構成する一つの操作表示セル１５を示す図である。
【図３】ナースコール親機１１の概略的な内部ブロック構成図である。
【図４】操作表示セル１５の詳細構成図並びに制御部２０と第一及び第二入出力部２２、２３間のデータ入出力概念図である。
【図５】制御部２０の概念ブロック構成図である。
【図６】制御部２０のＣＰＵ２０ａで実行される制御プログラムの概略的なフローチャートである。
【図７】火災発報処理の概略的なフローチャートである。
【図８】設定モード実行時におけるナースコールシステム１０と火災報知システム１００の連携操作概念図である。
【図９】火災表示灯１７と火災発報感知器３０との対応付けテーブル３４の概念図である。
【図１０】火災報知システム１００の概念的なシステム構成図である。
【図１１】火災受信機１１０及び火災感知器１１３の電気的構成図である。
【図１２】中央制御部１２４の一部及び第１電流検出部１２７＿１〜第ｎ電流検出部１２７＿ｎの回路構成を示す図である。
【図１３】タイムシェアリング動作の概念図である。
【図１４】火災感知器の外観図とその回路ブロック図である。
【図１５】感知電流の変調波形を示す図である。
【図１６】本実施形態の火災報知システムにおける火災受信機１１０の動作概要を示すタイムチャートである。
【図１７】火災感知器１１３における動作フローチャートを示す図である。
【図１８】火災感知器１１３における動作フローチャートを示す図である。
【図１９】火災発生時のナースコール親機１１の表示状態例を示す図である。
【図２０】医療用コードレスホンシステムとの連携イメージ図である。
【図２１】ナースコールシステムの概念構成図である。
【図２２】ナースコール親機３の外観図及び操作表示ユニット３ｃを構成する一つの操作表示セル３ｄを示す図である。
【符号の説明】
１０    ナースコールシステム
１１    ナースコール親機
１５    操作表示セル
１７    火災表示灯
２０    制御部（受信手段、特定手段、点灯制御手段）
２２ａ  ナースコール子機群（ナースコール子機）
１００  火災報知システム
１１３  火災感知器（火災発報感知器）
３００  医療用コードレスホンシステム
【図１】
2004214810.tif 000003
【図２】
2004214810.tif 000004
【図３】
2004214810.tif 000005
【図４】
2004214810.tif 000006
【図５】
2004214810.tif 000007
【図６】
2004214810.tif 000008
【図７】
2004214810.tif 000009
【図８】
2004214810.tif 000010
【図９】
2004214810.tif 000011
【図１０】
2004214810.tif 000012
【図１１】
2004214810.tif 000013
【図１２】
2004214810.tif 000014
【図１３】
2004214810.tif 000015
【図１４】
2004214810.tif 000016
【図１５】
2004214810.tif 000017
【図１６】
2004214810.tif 000018
【図１７】
2004214810.tif 000019
【図１８】
2004214810.tif 000020
【図１９】
2004214810.tif 000021
【図２０】
2004214810.tif 000022
【図２１】
2004214810.tif 000023
【図２２】
2004214810.tif 000024